(57)【特許請求の範囲】
【請求項１】
縦方向および横方向を有し、身体側およびその反対側である非身体側と、前後ウエスト域および前記前後ウエスト域間に位置するクロッチ域と、ウエスト開口およびレッグ開口と、前記横方向における寸法を二等分する仮想縦中心線と、前記縦方向における寸法を二等分するとともに前記クロッチ域に位置する仮想横中心線とを有するシャーシと、少なくとも前記クロッチ域に位置する体液吸収体と、前記仮想横中心線の少なくとも一部に一致する第１折曲線とを含み、前記第１折曲線に沿って折り畳まれ前記前ウエスト域の前記身体側と前記後ウエスト域の前記身体側が互いに対向し、前記クロッチ域の前記身体側が互いに対向する使い捨て着用物品において、
前記クロッチ域であって前記仮想縦中心線上に位置するクロッチ中心部の厚さ寸法が、前記前後ウエスト域であって前記体液吸収体の非存在領域の厚さ寸法よりも小さく、前記クロッチ中心部の厚さ寸法が２．０〜８．０ｍｍ、前記体液吸収体の前記非在領域の厚さ寸法が４．０〜１２．０ｍｍであることを特徴とする前記使い捨て着用物品。
【請求項２】
前記シャーシは、前記クロッチ域に位置するとともに前記横方向に延びる第２折曲線を有し、前記第２折曲線に沿って前記クロッチ域が前記前後ウエスト域のいずれか一方に向かって折り畳まれ、前記前後ウエスト域のいずれか一方の前記非身体側と前記クロッチ域の非身体側が互いに対向する請求項１記載の使い捨て着用物品。
【請求項３】
前記シャーシは、前記縦方向へ延びるとともに、前記仮想縦中心線の少なくとも一部に一致する第３折曲線をさらに有し、前記第３折曲線に沿って前記前後ウエスト域および前記クロッチ域が折り畳まれる請求項２記載の使い捨て着用物品。
【請求項４】
前記シャーシは、前記縦方向へ延びるとともに、前記横方向へ離間する一対の第４折曲線をさらに有し、前記第４折曲線に沿って前記前後ウエスト域および前記クロッチ域が折り畳まれる請求項２記載の使い捨て着用物品。
【請求項５】
前記シャーシは、前記前後ウエスト域を画定するとともに前記横方向に弾性的に伸縮可能な前後ウエストパネルと、前記前後ウエスト域の一部および前記クロッチ域を画成するクロッチ本体とを有し、前記クロッチ本体の前後端縁は、前記前後ウエストパネルにそれぞれ接合され、
前記第２折曲線は、前記クロッチ本体に位置する請求項２〜４のいずれかに記載の使い捨て着用物品。
【請求項６】
前記前後ウエストパネルは、前記身体側に位置する内面シートと、前記非身体側に位置する外面シートと、前記内外面シートの間で前記横方向に延びて伸長状態で取り付けられる複数本のウエスト弾性体とを有し、
前記前内外面シートおよび前記後内外面シートの前記横方向における寸法に対する複数の前記ウエスト弾性体の前記伸長状態の倍率の最大値と最小値は、その差が０〜１０％である請求項１〜５のいずれかに記載の使い捨て着用物品。
【請求項７】
前記体液吸収体は、前記身体側に位置する透液性の内面シートと、前記非身体側に位置する外面シートと、これらシートの間に保持された吸収性の芯材とを有する請求項１〜６のいずれかに記載の使い捨て着用物品。
【請求項８】
前記体液吸収体は、前記芯材の移動を規制する固定部をさらに含む請求項７記載の使い捨て着用物品。
【請求項９】
前記シャーシは、前記クロッチ域において、前記縦方向に伸びて伸長状態で取り付けられるレッグ弾性体をさらに含み、
前記レッグ弾性体は、前記クロッチ域の両側縁近傍に配置され、一方側に配置された前記レッグ弾性体と、他方側に配置された前記レッグ弾性体とは、互いに連続することなく離間して取り付けられる請求項１〜８のいずれかに記載の使い捨て着用物品。
【請求項１０】
複数の使い捨て着用物品が積層されパッケージシートで包装された使い捨て着用物品の包装体において、
前記使い捨て着用物品は、その厚さ方向に複数積層されるとともに、縦方向および横方向を有し、身体側およびその反対側である非身体側と、前後ウエスト域および前記前後ウエスト域間に位置するクロッチ域と、ウエスト開口およびレッグ開口と、前記横方向における寸法を二等分する仮想縦中心線と、前記縦方向における寸法を二等分するとともに前記クロッチ域に位置する仮想横中心線とを有するシャーシと、少なくとも前記クロッチ域に位置する体液吸収体と、前記仮想横中心線の少なくとも一部に一致する第１折曲線とを含み、
前記クロッチ域であって前記仮想縦中心線上に位置するクロッチ中心部の厚さ寸法が、前記前後ウエスト域であって前記体液吸収体の非存在領域の厚さ寸法よりも小さく、前記クロッチ中心部の厚さ寸法が２．０〜８．０ｍｍ、前記体液吸収体の前記非存在領域の厚さ寸法が４．０〜１２．０ｍｍであって、
前記第１折曲線に沿って折り畳まれ前記前ウエスト域の前記身体側と前記後ウエスト域の前記身体側が互いに対向し、前記クロッチ域の前記身体側が互いに対向することを特徴とする前記使い捨て着用物品の包装体。
【請求項１１】
前記シャーシは、前記クロッチ域に位置するとともに前記横方向に延びる第２折曲線を有し、前記第２折曲線に沿って前記クロッチ域が前記前後ウエスト域のいずれか一方に向かって折り畳まれ、前記前後ウエスト域のいずれか一方の前記非身体側と前記クロッチ域の非身体側が互いに対向する請求項１０記載の使い捨て着用物品の包装体。
【請求項１２】
前記着用物品は、折り畳まれた前記クロッチ域が露出する第１面と、その反対面であって前記前後ウエスト域のいずれか一方が露出する第２面とを有し、隣接する前記着用物品は、前記第１面を互いに対向させて積層される請求項１１記載の使い捨て着用物品の包装体。
【請求項１３】
前記シャーシは、前記ウエスト開口を形成する外端縁を有し、前記着用物品は、前記外端縁と、前記第２折曲線と、前記シャーシの両側縁とによってその外形が画定され、
隣接する前記着用物品は、一方の前記着用物品の前記外端縁と他方の前記着用物品の前記第２折曲線とを互いに対向させて積層される請求項１１または１２記載の使い捨て着用物品の包装体。
【請求項１４】
前記着用物品は、可撓性を有するパッケージシートによって包装され、
前記パッケージシートは上面および底面と、これら上面および底面間に位置する側面とを有し、
前記着用物品は、前記上面および前記底面間に積層され、前記上面には、前記パッケージシートを切断するための誘導線が形成される請求項１０〜１３のいずれかに記載の使い捨て着用物品の包装体。
【発明の詳細な説明】
【技術分野】
【０００１】
この発明は、使い捨て着用物品およびその包装体に関し、より詳しくは、ウエスト開口およびレッグ開口が形成された使い捨ておむつ、使い捨てのトイレット・トレーニングパンツ、使い捨て失禁パンツ、使い捨ての生理用パンツ等の使い捨て着用物品およびその包装体に関する。
【背景技術】
【０００２】
従来、ウエスト開口およびレッグ開口が形成されパンツ型にされた使い捨ておむつ、および、これらおむつの包装体は公知である。例えば、特許文献１には、いわゆるパンツ型のおむつが開示され、このおむつを包装袋に収容するために、おむつの左右両側方部を縦方向に延びる折曲線に沿って前ウエスト域側または後ウエスト域側に折り返し、さらに、クロッチ域を横方向に延びる折り曲げ線に沿って折り返す構造が開示されている。特許文献２には、パンツ型のおむつのクロッチ域を横方向に延びる折り曲げ線に沿って折り返し、これを複数積層させた包装体が開示されている。
【先行技術文献】
【特許文献】
【０００３】
【特許文献１】特開平１１−１１３９５６号公報（ＪＰ  １１−１１３９５６  Ａ）
【特許文献２】特開２０００−４２０２９号公報（ＪＰ  ２０００−４２０２９  Ａ）
【発明の概要】
【発明が解決しようとする課題】
【０００４】
上記のような特許文献１および２記載のおむつは、クロッチ域に吸収体が配置されている。吸収体は、通常フラッフパルプ等によって形成され、吸収体が位置しない他の領域に比べて嵩だかになる。これら特許文献１および２では、おむつの厚さ方向の寸法について言及されていない。
【０００５】
この発明では、部分的に顕著に嵩だかになるのを抑制することができる使い捨て着用物品およびその包装体を提供することを課題とする。
【課題を解決するための手段】
【０００６】
この発明は、第１および第２の発明を含む。
第１の発明は、縦方向および横方向を有し、身体側およびその反対側である非身体側と、前後ウエスト域および前記前後ウエスト域間に位置するクロッチ域と、ウエスト開口およびレッグ開口と、前記横方向における寸法を二等分する仮想縦中心線と、前記縦方向における寸法を二等分するとともに前記クロッチ域に位置する仮想横中心線とを有するシャーシと、少なくとも前記クロッチ域に位置する体液吸収体と、前記仮想横中心線の少なくとも一部に一致する第１折曲線とを含み、前記第１折曲線に沿って折り畳まれ前記前ウエスト域の前記身体側と前記後ウエスト域の前記身体側が互いに対向し、前記クロッチ域の前記身体側が互いに対向する使い捨て着用物品の改良にかかわる。この第１の発明は、前記クロッチ域であって前記仮想縦中心線上に位置するクロッチ中心部の厚さ寸法が、前記前後ウエスト域であって前記体液吸収体の非存在領域の厚さ寸法よりも小さく、前記クロッチ中心部の厚さ寸法が２．０〜８．０ｍｍ、前記体液吸収体の前記非在領域の厚さ寸法が４．０〜１２．０ｍｍであることを特徴とする。
【０００７】
第２の発明は、複数の使い捨て着用物品が積層されパッケージシートで包装された使い捨て着用物品の包装体の改良にかかわる。この第２の発明は、前記使い捨て着用物品の包装体において、前記使い捨て着用物品は、その厚さ方向に複数積層されるとともに、縦方向および横方向を有し、身体側およびその反対側である非身体側と、前後ウエスト域および前記前後ウエスト域間に位置するクロッチ域と、ウエスト開口およびレッグ開口と、前記横方向における寸法を二等分する仮想縦中心線と、前記縦方向における寸法を二等分するとともに前記クロッチ域に位置する仮想横中心線とを有するシャーシと、少なくとも前記クロッチ域に位置する体液吸収体と、前記仮想横中心線の少なくとも一部に一致する第１折曲線とを含み、前記クロッチ域であって前記仮想縦中心線上に位置するクロッチ中心部の厚さ寸法が、前記前後ウエスト域であって前記体液吸収体の非存在領域の厚さ寸法よりも小さく、前記クロッチ中心部の厚さ寸法が２．０〜８．０ｍｍ、前記体液吸収体の前記非存在領域の厚さ寸法が４．０〜１２．０ｍｍであって、前記第１折曲線に沿って折り畳まれ前記前ウエスト域の前記身体側と前記後ウエスト域の前記身体側が互いに対向し、前記クロッチ域の前記身体側が互いに対向することを特徴とする。
【発明の効果】
【０００８】
この発明の特にそのひとつ以上の実施態様によれば、クロッチ域であって仮想縦中心線上に位置するクロッチ中心部の厚さ寸法が、前後ウエスト域であって体液吸収体の非存在領域のそれよりも小さくされているから、この着用物品を重ねた場合であっても、クロッチ域が重なった部分が他の部分に比べて顕著に厚くなることがない。
【図面の簡単な説明】
【０００９】
【図１】使い捨て着用物品の一実施形態である使い捨ておむつの斜視図。
【図２】おむつの展開図。
【図３】おむつの分解斜視図。
【図４】おむつ正面図
【図５】図４のＶ−Ｖ線切断拡大端面図。
【図６】図４のＶＩ−ＶＩ線切断拡大端面図。
【図７】おむつ正面図。
【図８】おむつの積層状態の説明図。
【図９】包装体の斜視図。
【図１０】（ａ）おむつの折り畳み方の他の例を示す図であって、第３折曲線に沿って折り畳む前の図、（ｂ）第３折曲線に沿って折り畳んだ後の図。
【図１１】（ａ）おむつの折り畳み方の他の例を示す図であって、第４折曲線に沿って折り畳む前の図、（ｂ）第４折曲線に沿って折り畳んだ後の図。
【発明を実施するための形態】
【００１０】
図１は、この発明に係る使い捨て着用物品の一例として示す、使い捨ておむつ１の斜視図、図２はおむつ１の展開平面図であって身体側から見た図、図３はおむつ１の分解斜視図である。図２および３において、各弾性要素は、その収縮力に抗して伸長させた状態で示し、説明のためにその一部を破断している。
【００１１】
図１〜３に示したように、おむつ１は、縦方向Ｙおよびこれに直交する横方向Ｘを有し、着用者の身体側およびその反対側である非身体側（着衣側）と、縦方向Ｙに連なる前ウエスト域２と、後ウエスト域３と、前後ウエスト域２，３間に位置するクロッチ域４とを有する。おむつ１は、前後ウエスト域２，３を形成する前後ウエストパネル２０，３０と、前後ウエスト域２，３の一部およびクロッチ域４を形成するクロッチ本体４０とを有し、これら前後ウエストパネル２０，３０およびクロッチ本体４０によってシャーシを形成している。
【００１２】
図２，３に示したように、前ウエストパネル２０は、横方向Ｘに延びる外端縁２１および内端縁２２と、縦方向Ｙに延びる両側縁２３とを有する。同様に、後ウエストパネル３０は、横方向Ｘに延びる外端縁３１および内端縁３２と、縦方向Ｙに延びる両側縁３３とを有する。クロッチ本体４０は、横方向Ｘに延びる前後端縁４１，４２と、縦方向Ｙに延びる両側縁４３とを有する。クロッチ本体４０の前後端縁４１，４２は、前後ウエストパネル２０，３０の非身体側にそれぞれ取り付けられ、前ウエストパネル２０の両側縁２３と後ウエストパネル３０の両側縁３３とが互いに接合され、シーム部５を形成している。シーム部５を形成することによって、図１に示したように、前後ウエストパネル２０，３０が環状に保たれ、外端縁２１，３１でウエスト開口が、内端縁２２，３２およびクロッチ両側縁４３でレッグ開口が、それぞれ形成される。
【００１３】
おむつ１は、横方向Ｘにおける寸法を二等分する仮想縦中心線Ｐ−Ｐと、縦方向Ｙにおける寸法を二等分する仮想横中心線Ｑ−Ｑとを有し、これら仮想縦中心線Ｐ−Ｐおよび仮想横中心線Ｑ−Ｑに関してほぼ対称にされている。仮想横中心線Ｑ−Ｑは、具体的には、前ウエストパネル２０の外端縁２１および後ウエストパネル３０の外端縁３１間の縦方向Ｙにおける寸法の二等分線である。仮想縦中心線Ｐ−Ｐは、具体的には、前後ウエストパネル２０，３０の両側縁２３，３３間の横方向Ｘにおける寸法の二等分線である。
【００１４】
前後ウエストパネル２０，３０は、身体側に位置する内面シート２４，３４と、その反対側である非身体側に位置する外面シート２５，３５と、これらシートの間に取り付けられた複数本のウエスト弾性体２６，３６とを有する。内面シート２４，３４および外面シート２５，３５は、単位面積当たりの質量が約１０〜３０ｇ／ｍ２の不透液性または難透液性のスパンボンド・メルトブローン・スパンボンド（ＳＭＳ）繊維不織布、スパンボンド繊維不織布、プラスチックシート、または、それら不織布とプラスチックシートのラミネートから形成される。
【００１５】
ウエスト弾性体２６，３６は、縦方向Ｙに離間して、横方向Ｘに伸長状態で収縮可能に取り付けられ、前後ウエストパネル２０，３０を横方向Ｘに弾性化している。ウエスト弾性体２６，３６としては、ゴム弾性を有する１本以上の、糸またはストランド状もしくはストリング状のものを用いることができる。この実施形態では、約７８０〜９４０ｄｔｅｘの弾性糸を用いる。内外面シート２４，２５のいずれか、内外面シート３４，３５のいずれかに図示しないホットメルト接着剤がそれぞれ塗布され、その接着剤を介してこれら内外面シートが互いに接合されるとともに、ウエスト弾性体２６，３６が内外面シートに接合される。
【００１６】
ウエスト弾性体２６，３６は、その伸長倍率を約２．０〜３．０倍として、伸長状態で内外面シート２４，２５および内外面シート３４，３５に取り付けられる。伸長倍率とは、弾性体の伸長前の長さに対する倍率であって、いわゆる弾性体の自然長に対して約２．０〜３．０倍に伸長させて取り付けたことを意味する。複数本のウエスト弾性体２６，３６は、その倍率を部分的に変更して、収縮力を調整することがあるが、倍率の最大値と最小値との差は、約０〜１０％とされている。したがって、前後ウエストパネル２０，３０は、部分的に収縮力が大きくなって横方向Ｘの見た目の寸法が、部分的に顕著に小さくなるのを防止することができ、両側縁２３および両側縁３３によって画定される前後ウエストパネル２０，３０全体がほぼ長方形に維持される。収縮力が大きくなった部分では、厚さ寸法も他の部分よりも大きくなるが、各弾性体の伸張応力をほぼ均等にすることによって、厚さ寸法も均等にすることができる。
【００１７】
前後ウエストパネル２０，３０は、ウエスト弾性体２６，３６を取り付けることによって弾性化することもできるが、前後ウエストパネル２０，３０として、例えば、伸縮性繊維不織布を用いて弾性化することもでき、また、伸縮性繊維不織布とウエスト弾性体２６，３６とを組み合わせて用いることもできる。伸縮性繊維不織布としては、スパンボンド繊維不織布、メルトブローン繊維不織布、ヒートロール繊維不織布、スパンボンド繊維不織布とメルトブローン繊維不織布とを組み合わせたスパンボンド・メルトブローン・スパンボンド（ＳＭＳ）繊維不織布、エアスルー繊維不織布、スパンレース繊維不織布、または、エアレイド繊維不織布等、公知の種々の繊維不織布を選択することができる。これらは単独で使用してもよいが複数組み合わせて使用してもよい。これら伸縮性繊維不織布を構成する樹脂としては、例えば、ポリスチレン系、ポリウレタン等からなるエラストマー樹脂、ポリエチレン、ポリプロピレン、ポリエステル、アクリル等からなる熱可塑性樹脂を用いることができる。これら樹脂によって構成される、ポリエチレン／ポリプロピレン、ポリエチレン／ポリエチレンテレフタレート、ポリプロピレン／ポリエチレンテレフタレート等の複合繊維、すなわち芯鞘型繊維やサイドバイサイド型繊維で形成された繊維等の公知の種々の繊維を使用することができ、これら繊維を単独で使用することもでき、複数組み合わせて使用することもできる。
【００１８】
内外面シート２４，２５および内外面シート３４，３５の間には、ウエスト防漏シート２７，３７が取り付けられる。ウエスト防漏シート２７，３７は、不透液性かつ透湿性のプラスチックフィルムを用いることができる。前ウエストパネル２０に取り付けられたウエスト防漏シート２７は、その内端縁２２に沿って取り付けられ、横方向Ｘの中央部分に位置されている。同様に、後ウエストパネル３０に取り付けられたウエスト防漏シート３７は、その内端縁３２に沿って取り付けられ、横方向Ｘの中央部分に位置されている。ウエスト防漏シート２７，３７は、内外面シート２４，２５および内外面シート３４，３５よりもその面積が小さくされているので、前後ウエストパネル２０，３０には、ウエスト防漏シート２７，３７が存在しない領域が形成される。
【００１９】
図３に示したように、クロッチ本体４０は、身体側に位置する内面シート４４と、その反対側である非身体側に位置する外面シート４５と、これら内外面シート４４，４５の間に取り付けられた第１および第２レッグ弾性体４６，４７とを有する。内面シート４４は、不透液性かつ透湿性のプラスチックフィルムを用いることができ、外面シート４５は、難透液性の繊維不織布を用いることができる。
【００２０】
クロッチ本体４０は、縦方向Ｙに延びる折曲線４８を有し、両側縁４３と折曲線４８との間では、折曲線４８に沿って横方向Ｘ内側に折り返された折曲領域４９が形成される。折曲領域４９においては内面シート４４が互いに対向される。折曲領域４９では、クロッチ本体４０の前後端縁４１，４２の近傍で、内面シート４４が図示しない接着剤等によって互いに接合される。
【００２１】
第１および第２レッグ弾性体４６，４７として、ゴム弾性を有する１本以上の、糸またはストランド状もしくはストリング状のものを用いることができ、縦方向Ｙに伸長状態で収縮可能に取り付けられ、クロッチ本体４０の両側縁４３近傍、具体的には折曲領域４９を縦方向Ｙに弾性化している。第１レッグ弾性体４６は、両側縁４３に沿って取り付けられ、第２レッグ弾性体４７は、第１レッグ弾性体４６よりも折曲線４８側に取り付けられている。第１および第２レッグ弾性体４６，４７は、内外面シート４４，４５の少なくともいずれか一方に、図示しないホットメルト接着剤等によって接合されている。
【００２２】
クロッチ本体４０の一方の側縁４３に配置された第１および第２レッグ弾性体４６，４７は、他方の側縁４３に配置されたそれとは互いに連続することなく、離間されている。すなわち、クロッチ本体４０の両側縁４３の間で横方向Ｘに延びる弾性体は存在しない。したがって、クロッチ本体４０が横方向Ｘに弾性的に収縮されることがなく、特に、仮想横中心線Ｑ−Ｑの横方向Ｘにおける中央部分では、内外面シート４４，４５が横方向Ｘに収縮されるのを防止することができる。
【００２３】
上記のようなクロッチ本体４０の前後端縁４１，４２が、前後ウエストパネル２０，３０の非身体側にホットメルト接着剤等の接着手段によって接合される。具体的には、図２に示したように、クロッチ本体４０と外面シート２５，３５との間には、前後端縁４１，４２に沿って横方向Ｘに延びる第１接合部分６１と、第１接合部分６１の横方向Ｘ両側において縦方向Ｙに延びる第２接合部分６２とが形成される。これら第１および第２接合部分６１，６２の間には、接着剤等が塗布されない非接合部分６３が形成される。非接合部分６３は、横方向Ｘにおけるほぼ中央に画定され、これら第１および第２接合部分６１，６２および非接合部分６３によって、クロッチ域４に向かって開口する凹を形成する。クロッチ本体４０に形成された非接合部分６３が、前後ウエストパネル２０，３０に取り付けられたウエスト防漏シート２７，３７と一致するように、これら前後ウエストパネル２０，３０とクロッチ本体４０とが接合される。
【００２４】
上記のようなおむつ１において、クロッチ本体４０は前後ウエストパネル２０，３０の非身体側に接合されているので、尿等の排泄物がクロッチ本体４０を伝って前後ウエストパネル２０，３０へと縦方向Ｙに移動したとしても、前後ウエストパネル２０，３０の身体側へと移動することがなく、排泄物が直接着用者の肌に接触することによるかぶれを防止することができる。クロッチ本体４０は、折曲線４８に沿って折り曲げられ、折曲領域４９が前後ウエストパネル２０，３０に接合されるとともに、折曲領域４９に第１および第２レッグ弾性体４６，４７が取り付けられているので、両側縁４３近傍を着用者の身体に密着させることができる。
【００２５】
クロッチ本体４０は、第１接合部分６１および第２接合部分６２によって接合され、非接合部分６３によってクロッチ域４へと開口するポケットが形成される。ポケットが形成されることによって、クロッチ本体４０を縦方向Ｙに移動した排泄物を保持することができ、ウエスト開口から排泄物が漏れるのを防止することができる。また、前後ウエストパネル２０，３０の中央部分にはウエスト防漏シート２７，３７が取り付けられているので、形成されたポケットから非身体側（着衣側）へと排泄物が透過して漏れるのを防止することができる。
【００２６】
クロッチ本体４０の身体側には、体液吸収体５０が配置されている。体液吸収体５０は、横方向Ｘに延びる前後端縁５１，５２と、縦方向Ｙに延びる両側縁５３とを有し、前後端縁５１，５２がクロッチ本体４０の前後端縁４１，４２よりも縦方向Ｙの内側に位置し、両側縁５３が折曲線４８よりも横方向Ｘの内側に位置する。クロッチ本体４０の折曲領域４９を着用者の身体に密着させることで、体液吸収体５０を着用者の身体から離間させることができる。したがって、体液吸収体５０に排泄された排泄物と着用者の肌とが直接接触することによるかぶれを防止し、かつ、脚回りからの排泄物の漏れを防止することができる。
【００２７】
再び図３を参照すれば、体液吸収体５０は、内外面シート５４，５５と、内外面シート５４，５５間に位置する吸収性の芯材５６と、内外面シート５４，５５および芯材５６を覆い身体側に位置する身体側ライナ５７とを含む。内外面シート５４，５５は、例えば、透液性のスパンボンド・メルトブローン・スパンボンド（ＳＭＳ）繊維不織布で形成されている。芯材５６としては、不溶性の高吸収性ポリマー粒子を用いることができる。
【００２８】
内外面シート５４，５５の間には、芯材５６の移動を規制する固定部が形成される。この実施形態では固定部はホットメルト接着剤によって形成される。具体的には、外面シート５５の全域に図示しないホットメルト接着剤を塗布し、その上に芯材５６を散布する。芯材５６は、外面シート５５の前後端縁および両側縁には散布されず、また、縦方向Ｙにおいて離間して散布される。このように芯材５６が散布された部分では、芯材５６がホットメルト接着剤を介して外面シート５５に接合される。芯材５６が散布されなかった部分では、外面シート５５が内面シート５４と直接接触し、ホットメルト接着剤を介して接合されて、複数の芯材散布領域を区画することができる。したがって、芯材５６がホットメルト接着剤から剥がれてしまっても、区画された領域内からこぼれてしまうことがない。この実施形態では、芯材５６がホットメルト接着剤によって内外面シート５４，５５の少なくともいずれか一方に接合されるようにしているが、これがなくてもよい。この場合には、内外面シート５４，５５を互いに接合していくつかの区画された空間が形成され、この空間に芯材５６が保持されるようにしてもよい。芯材５６は、空間内では固定されずに移動可能であるが、区画された空間外に出ることはなくその移動が規制される。
【００２９】
この実施形態において、芯材５６として高吸収性ポリマー粒子を用いているが、フラッフパルプまたはフラッフパルプと高吸収性ポリマー粒子との混合物を用いることもできる。ただし、後述するように、クロッチ域４での厚さ方向の寸法を小さくするためには、体液吸収体５０の厚さ寸法が小さい方が好ましく、高吸収性ポリマー粒子の割合を多くすることが好ましい。
【００３０】
前後ウエストパネル２０，３０に接合されたクロッチ本体４０の非身体側には、前後端縁４１，４２を覆うカバーシート７０が取り付けられる。カバーシート７０として、例えば、スパンボンド・メルトブローン・スパンボンド（ＳＭＳ）繊維不織布やスパンボンド繊維不織布等を用いることができる。カバーシート７０を取り付けることによって、前後端縁４１，４２に着用者の手足や衣類が引っかかるのを防止し、この引っかかりによってクロッチ本体４０が前後ウエストパネル２０，３０から外れてしまうのを防止することができる。
【００３１】
図４〜７は、着用前におけるおむつ１の折り畳んだ状態を示したものである。図４は第１折曲線８１に沿って折り畳んだおむつ１の正面図、図５は図４のＶ−Ｖ線切断拡大端面図、図６は図４のＶＩ−ＶＩ線切断拡大端面図、図７は第２折曲線８２に沿って折り畳んだおむつ１の正面図である。
【００３２】
図４〜６に示したように、おむつ１は、前後ウエストパネル２０，３０をシーム部５で接合した状態において、前後ウエストパネル２０，３０の内面シート２４，３４を互いに対向させ、クロッチ本体４０の内面シート４４を互いに対向させて、ほぼ平らになるようにされる。このとき、おむつ１は、少なくとも一部が仮想横中心線Ｑ−Ｑに一致する第１折曲線８１に沿って折り畳まれる。すなわち、おむつ１は、縦方向Ｙにおける寸法をほぼ二等分するように折り畳まれる。
【００３３】
第１折曲線８１に沿って折り畳んだおむつ１において、クロッチ本体４０に位置するクロッチ中心部８３の厚さ寸法は、前後ウエストパネル２０，３０に位置する非存在領域８５の厚さ寸法よりも小さくなるようにしている。具体的には、クロッチ中心部８３の厚さ寸法は、約２．０〜８．０ｍｍ、好ましくは約２．０〜５．０ｍｍとされ、非存在領域８５の厚さ寸法は、約４．０〜１２．０ｍｍ、好ましくは約５．０〜１０．０ｍｍとされる。クロッチ中心部８３は、外端縁２１，３１および第１折曲線８１間の縦方向Ｙにおける寸法を四等分した最も第１折曲線８１側に位置する仮想線８４と、仮想縦中心線Ｐ−Ｐとの交点を含む部分である。非存在領域８５は、前後ウエストパネル２０，３０の縦方向Ｙにおける寸法を二等分する仮想線８６上であって、体液吸収体５０とは重ならない領域、すなわち、体液吸収体５０の非存在領域である。この実施形態では、クロッチ本体４０の横方向Ｘの両外側における二箇所で非存在領域８５の測定をおこない、その平均値を求めた。なお、仮想線８６は、シーム部５の縦方向Ｙにおける寸法を二等分する線として、この仮想線８６上で非存在領域８５の測定をすることもできるし、その他、体液吸収体５０とは重ならない各領域で測定することもできる。
【００３４】
図５を参照すれば、クロッチ中心部８３は、クロッチ本体４０の内外面シート４４，４５および体液吸収体５０がそれぞれ一対積層された部分であって、折曲領域４９および第１および第２レッグ弾性体４６，４７は位置していない。
図６を参照すれば、非存在領域８５は、前ウエストパネル２０の内面シート２４、外面シート２５、ウエスト弾性体２６、カバーシート７０と、後ウエストパネル３０の内面シート３４、外面シート３５、ウエスト弾性体３６、カバーシート７０とが積層された部分である。また、ウエスト弾性体２６，３６は、伸長させずに収縮した状態で測定される。
【００３５】
＜厚さ測定方法＞
クロッチ中心部８３および非存在領域８５の厚さ寸法は、ピーコック精密測定機器（尾崎製作所  シックネスゲージ大型タイプＪ−Ｂ）を用いて測定した。測定は、直径５０ｍｍの円板の測定子を用い、約２Ｎの測定圧力でおこなった。測定回数（ｎ）は、３とした。
【００３６】
上記のようなおむつ１は、クロッチ中心部８３を含むクロッチ域４のカンチレバー剛軟度が約１５〜１４０ｍｍである。
【００３７】
＜カンチレバー剛軟度の測定方法＞
ＪＩＳＬ１０９６のカンチレバー法に準拠し、おむつ１のクロッチ中心部８３を含むクロッチ本体４０からサンプル（横方向における寸法５０ｍｍ，縦方向における寸法１５０ｍｍ）を切り取り、各サンプルの肌対向面と非肌対向面とを測定した。測定回数（ｎ）は、３とした。
【００３８】
再び図４を参照すれば、上記のようなおむつ１は、さらに、クロッチ域４に位置するとともに横方向Ｘに延びる第２折曲線８２に沿って折り畳まれる。第２折曲線８２は、外端縁２１，３１および第１折曲線８１間の縦方向Ｙにおける寸法を二等分した線に少なくとも一部一致する。この実施形態において、前後ウエストパネル２０，３０の縦方向Ｙにおける寸法よりも、内端縁２２，３２および第１折曲線８１間の縦方向Ｙにおける寸法の方が大きくされている。したがって、第２折曲線８２は、クロッチ域４すなわちクロッチ本体４０上に位置する。なお、第２折曲線８２は、第１折曲線８１を有する図４に示すおむつ１を、さらに二つ折りにしたときに形成される折曲線であって、必ずしも前記二等分線に一致することを目的としたものではない。したがって、第２折曲線８２は、クロッチ域４に位置する限りにおいて、前記二等分線とは一致しない場合であってもよい。
【００３９】
図７を参照すれば、おむつ１を第２折曲線８２に沿って折り畳むと、前ウエストパネル２０の外面シート２５と、クロッチ本体４０の外面シート４５とが互いに対向する。この実施形態では、クロッチ本体４０を前ウエストパネル２０側に折り畳んでいるが、後ウエストパネル３０側に折り畳んでもよい。その場合には、クロッチ本体４０の外面シート４５は、後ウエストパネル３０の外面シート３５に対向する。また、おむつ１は、第２折曲線８２に沿って折り畳んだ状態において、外端縁２１，３１と、第２折曲線８２と、両側縁２３とによって、その外形がほぼ画定される。
【００４０】
上記のようなおむつ１は、クロッチ中心部８３が薄くされているので、クロッチ本体４０を第１折曲線８１および第２折曲線８２に沿って折り畳んだとしても、全体の厚さ寸法が嵩だかになるのを抑制することができる。特に、クロッチ中心部８３の厚さ寸法が、前後ウエストパネル２０，３０よりも薄くされているので、クロッチ本体４０を前後ウエストパネル２０，３０に重ねて折り畳んだ場合であっても、このクロッチ本体４０が重なった部分が他に比べて顕著に厚くなるのを防止することができる。また、クロッチ中心部８３では、特に横方向Ｘに延びる弾性体が存在せず、弾性体の収縮による皺が発生しないので、皺によって厚くなるのを防止することもできる。また、体液吸収体５０の芯材５６として高吸収性ポリマー粒子を用い、フラッフパルプ等を使用しないまたは少量の使用に留めることによって、厚さ方向の寸法を小さくすることができる。このように厚さ寸法を小さくすることによって、おむつ１の使用後におけるごみを低減させることもできる。
【００４１】
おむつ１のカンチレバー剛軟度を約１５〜１４０ｍｍとしたので、第１および第２折曲線８１，８２に沿って折り畳んだとしても、クロッチ域４が皺になりにくく、折り目がつきにくいので、着用時にはおむつ１を広げやすい。また、着用中においてもおむつ１の皺による着用者の肌への刺激を低減することができる。
【００４２】
図８は、おむつを複数枚積層した状態の説明図である。図示したように、第１および第２折曲線８１，８２に沿って折り畳んだおむつ１ａ，１ｂ，１ｃ，１ｄは、折り畳んだクロッチ本体４０が露出する第１面１１と、その反対面であって前後ウエストパネル２０，３０のいずれか一方が露出する第２面１２とを有する。ここで、第１面１１は、第２面１２に比べてクロッチ本体４０が露出する面積が大きいことをいい、第２面１２は、第１面１１に比べて前後ウエストパネル２０，３０が露出する面積が大きいことをいう。この実施形態では、クロッチ本体４０は前ウエストパネル２０と重なるように折り畳まれているので、第２面１２には後ウエストパネル３０が露出している。
【００４３】
隣接するおむつ１ａとおむつ１ｂは、第１面１１を互いに対向させて積層され、おむつ１ｃとおむつ１ｄも第１面１１を互いに対向させて積層されている。おむつ１ｂとおむつ１ｃは第２面１２を互いに対向させて積層される。また、おむつ１ａの外端縁２１，３１と、おむつ１ｂの第２折曲線８２とを対向させ、おむつ１ｂの外端縁２１，３１と、おむつ１ｃの第２折曲線８２とを対向させている。すなわち、積層するおむつの縦方向Ｙにおける向きを逆にして積層している。このように複数のおむつを積層することによって、積層体の厚さ方向の寸法を、おむつの縦方向Ｙおよび横方向Ｘにおいてほぼ等しくすることができ、おむつの積層状態が崩れ難い。また、これを包装した際にも、包装体全体が立方体に近い状態で維持されるので、包装体を重ねた場合であってもこれが崩れ難い。さらに、包装体自体の保管スペースを小さくすることができるため、物流や保管の効率も向上させることができる。
【００４４】
図９は、積層させたおむつをパッケージシート９０によって包装した包装体１００の斜視図であって説明のため一部を破断した図である。図示したように、上記のように積層されたおむつ１は、可撓性を有するパッケージシート９０によって包装され、包装体１００が形成される。パッケージシート９０は上面９１および底面９２と、これら上面９１および底面９２の間に位置する側面９３とを有し、複数のおむつ１は、底面９２および上面９１間に厚さ方向に重ねられ、いわゆる平積みで積層される。このような包装体１００は、おむつ１を積層方向に圧縮し、圧縮した状態を維持してパッケージシート９０で包まれる。
【００４５】
上記のような包装体１００において、折り畳まれたおむつ１は、その外形がほぼ長方形にされ、しかも、おむつ１の横方向Ｘおよび縦方向Ｙにおいてその厚さに大きな差がなく、ほぼ均等にされる。したがって、これを積層すると、包装体１００全体でほぼ直方体に形成されるから、これをパッケージシート９０で包んだ場合でも、直方体が維持される。したがって、この包装体１００をさらに複数積み重ねたりした場合であっても、積み重ねた状態が安定して崩れ難い。
【００４６】
パッケージシート９０には、これを切断するための、いわゆるミシン目等の誘導線９４が形成される。誘導線９４は、少なくともその上面９１に形成され、この実施形態では、上面９１および側面９３に形成されている。具体的には、誘導線９４は、側面９３から上面９１に向かって伸び、上面９１から再び側面９３へと延びるＵ字状とされている。パッケージシート９０の中からおむつ１を取り出す際には、上面９１から側面９３に向かって誘導線９４に沿ってパッケージシート９０を破ることができる。上面９１に開口が形成されることによって、積層されたおむつ１の上方からひとつずつ取り出して使用することができる。おむつ１は、図面上下方向に圧縮されているから、包装体１００における積層されたおむつ１の下方から引き抜こうとした場合にはこれが取り出しにくいが、開口された上面９１では圧縮力が小さくなるから容易におむつ１をひとつずつ取り出すことができる
【００４７】
誘導線９４は、少なくとも上面９１に形成され、上面９１からおむつ１が取り出すことができればよい。また、誘導線９４は、複数個所に形成されているものであってもよい。
【００４８】
この実施形態では、第１折曲線８１および第２折曲線８２に沿って折り畳んだおむつ１（図７参照）を積層し、包装することについて説明しているが、第１折曲線８１で折り畳み、第２折曲線８２では折り畳んでいない図４の状態で積層し、包装することもできる。この場合には、クロッチ域４のクロッチ中心部８３と、前後ウエスト域２，３の非存在領域８５との厚さ寸法の差が、小さくされていることが好ましい。さらに好ましくは、この厚さ寸法の差が、約４．０ｍｍ以内である。
【００４９】
クロッチ中心部８３および非存在領域８５の厚さ寸法の測定は、上述の厚さの測定と同様であり、第１折曲線８１でのみ折り畳み、前後ウエストパネル２０，３０を互いに重ね合わせた状態でおこなっている（段落００３３参照）。クロッチ中心部８３と非存在領域８５との厚さ寸法を小さくしたので、これらおむつ１を積層させても、特に前後ウエスト域２，３において部分的に顕著に嵩だかになるのを防止できる。したがって、包装体をコンパクトにすることができるとともに、包装体全体を直方体に維持し易い。
【００５０】
パッケージシート９０としては、可撓性を有する合成樹脂を用いることができる。具体的には、質量約２０〜７０ｇ／ｍ２のポリエチレンフィルムを用いることができる。体液吸収体５０の芯材５６として高吸収性ポリマー粒子を用いる場合には、例えばフラッフパルプを用いる場合に比較して、包装体に用いるパッケージシート９０を構成する樹脂材料の質量を小さくすることができる。芯材としてフラッフパルプを用い、これを圧縮してパッケージシート９０で包装した場合、圧縮されたフラッフパルプの復元力によって、パッケージシート９０がその内側から押し付けられる。このように押し付けられてもパッケージシート９０が破れないように、樹脂材料の質量を大きくしてその強度を大きくすることが必要である。しかし、高吸収性ポリマー粒子の場合には、フラッフパルプに比較して圧縮され難く、パッケージシート９０を内側から押し付ける力も大きくない。したがって、パッケージシート９０の樹脂材料の質量を小さくしても、パッケージシート９０が破れたりすることがない。
【００５１】
図１０は、おむつ１の折り畳み方の他の例を示したものであって、図１０（ａ）はおむつ１における各折曲線の位置を示し、図１０（ｂ）は折曲線に沿って折り畳んだ状態を示す。おむつ１は、横方向Ｘへ延びる第１折曲線８１および第２折曲線８２でそれぞれ折り曲げられ、さらに、縦方向Ｙへ延びる第３折曲線８７で折り曲げられる。第３折曲線８７は、少なくともその一部が仮想縦中心線Ｐ−Ｐに一致される。折り畳まれたおむつ１は、前ウエストパネル２０の外面シート２５が互いに対向され、後ウエストパネル３０の外面シート３５が露出される。このように折り畳むことによって、おむつ１をさらに小さくすることができ、このおむつ１を複数積層した包装体をコンパクトにすることができる。
【００５２】
体液吸収体５０の芯材５６として高吸収性ポリマー粒子を用いることによって、おむつ１の厚さ寸法を小さくすることができるとともに、クロッチ中心部８３と非存在領域８５との厚さ寸法を小さくしたので、これらおむつ１を複数回折り畳んだとしても、その厚さ方向の寸法が顕著に大きくなることがない。したがって、第３折曲線８７でさらにおむつ１を折り畳んでも、包装体が顕著に大きくなるのを予防することができる。
【００５３】
図１０では、前ウエストパネル２０の外面シート２５が互いに対向するように第３折曲線８７に沿って折り畳まれているが、これとは反対に、後ウエストパネル３０の外面シート３５が互いに対向するように折り畳んでもよい。この場合には、前ウエストパネル２０の外面シート２５およびクロッチパネル４０の外面シート４５が露出される。これら第３折曲線８７に沿って折り畳んだおむつ１を積層させた場合には、隣接するおむつ１の外端縁２１，３１が互いに重ならないように積層させることもできるし、互いに重なるように積層させることもできる。
【００５４】
図１１は、おむつ１の折り畳み方のさらに他の例を示したものであって、図１１（ａ）はおむつ１における各折曲線の位置を示し、図１１（ｂ）は折曲線に沿って折り畳んだ状態を示す。おむつ１は、横方向Ｘへ延びる第１折曲線８１および第２折曲線８２でそれぞれ折り曲げられ、さらに、縦方向Ｙへ延びる一対の第４折曲線８８で折り曲げられる。第４折曲線８８は、横方向Ｘに離間して形成され、クロッチ本体４０の横方向Ｘ外方に位置する。第４折曲線８８に沿って前後ウエストパネル２０，３０を折り畳むことによって、前ウエストパネル２０の外面シート２５がクロッチ本体４０の外面シート４５に対向する。このように折り畳むことによって、おむつ１をさらに小さくすることができ、このおむつ１を複数積層した包装体をよりコンパクトにすることができる。
【００５５】
縦方向Ｙへ延びる第３折曲線８７および第４折曲線８８の位置は、適宜変更可能であり、上記例示したものに限られるものではない。また、縦方向Ｙへ延びる折曲線のほか、横方向Ｘへ延びる折曲線に沿って、さらに折り畳むこともできる。
【００５６】
以上に記載したこの発明に関する開示は、少なくとも下記事項に要約することができる。
この発明は、第１および第２の発明を含む。
第１の発明は、以下の使い捨て着用物品１の改良にかかわる。着用物品１は、縦方向Ｙおよび横方向Ｘを有し、身体側およびその反対側である非身体側と、前後ウエスト域２，３および前記前後ウエスト域２，３間に位置するクロッチ域４と、ウエスト開口およびレッグ開口と、前記横方向Ｘにおける寸法を二等分する仮想縦中心線Ｐ−Ｐと、前記縦方向Ｙにおける寸法を二等分するとともに前記クロッチ域４に位置する仮想横中心線Ｑ−Ｑとを有するシャーシと、少なくとも前記クロッチ域４に位置する体液吸収体５０と、前記仮想横中心線Ｑ−Ｑの少なくとも一部に一致する第１折曲線８１とを含む。前記着用物品１は、前記第１折曲線８１に沿って折り畳まれ前記前ウエスト域２の前記身体側と前記後ウエスト域３の前記身体側が互いに対向し、前記クロッチ域４の前記身体側が互いに対向する。
【００５７】
第１の発明は、前記使い捨て着用物品１において、前記クロッチ域４であって前記仮想縦中心線Ｐ−Ｐ上に位置するクロッチ中心部８３の厚さ寸法が、前記前後ウエスト域３であって前記体液吸収体５０の非存在領域８５の厚さ寸法よりも小さいことを特徴とする。
【００５８】
上記第１の発明は、少なくとも下記の実施の形態を含むことができる。
（１）前記シャーシは、前記クロッチ域４に位置するとともに前記横方向Ｘに延びる第２折曲線８２を有し、前記第２折曲線８２に沿って前記クロッチ域４が前記前後ウエスト域２，３のいずれか一方に向かって折り畳まれ、前記前後ウエスト域２，３のいずれか一方の前記非身体側と前記クロッチ域４の非身体側が互いに対向する。
（２）前記シャーシは、前記縦方向Ｙへ延びるとともに、前記仮想縦中心線Ｐ−Ｐの少なくとも一部に一致する第３折曲線８７をさらに有し、前記第３折曲線８７に沿って前記前後ウエスト域２，３および前記クロッチ域４が折り畳まれる。
（３）前記シャーシは、前記縦方向Ｙへ延びるとともに、前記横方向Ｘへ離間する一対の第４折曲線８８をさらに有し、前記第４折曲線８８に沿って前記前後ウエスト域２，３および前記クロッチ域４が折り畳まれる。
（４）前記シャーシは、前記前後ウエスト域２，３を画定するとともに前記横方向Ｘに弾性的に伸縮可能な前後ウエストパネル２０，３０と、前記前後ウエスト域２，３の一部および前記クロッチ域４を画成するクロッチ本体４０とを有し、前記クロッチ本体４０の前後端縁４１，４２は、前記前後ウエストパネル２０，３０にそれぞれ接合され、前記第２折曲線８２は、前記クロッチ本体４０に位置する。
（５）前記前後ウエストパネル２０，３０は、前記身体側に位置する内面シート２４，３４と、前記非身体側に位置する外面シート２５，３５と、前記内外面シートの間で前記横方向Ｘに延びて伸長状態で取り付けられる複数本のウエスト弾性体２６，３６とを有し、前記前内外面シート２４，２５および前記後内外面シート３４，３５の前記横方向Ｘにおける寸法に対する複数の前記ウエスト弾性体２６，３６の前記伸長状態の倍率の最大値と最小値は、その差が０〜１０％である。
（６）前記体液吸収体５０は、前記身体側に位置する透液性の内面シート５４と、前記非身体側に位置する外面シート５５と、これらシート５４，５５の間に保持された吸収性の芯材５６とを有する。
（７）前記体液吸収体５０は、前記芯材５６の移動を規制する固定部をさらに含む。
（８）前記シャーシは、前記クロッチ域４において、前記縦方向Ｙに伸びて伸長状態で取り付けられるレッグ弾性体４６，４７をさらに含み、前記レッグ弾性体４６，４７は、前記クロッチ域４の両側縁４３近傍に配置され、一方側に配置された前記レッグ弾性体と、他方側に配置された前記レッグ弾性体とは、互いに連続することなく離間して取り付けられる。
【００５９】
第２の発明は、複数の使い捨て着用物品１が積層されパッケージシート９０で包装された使い捨て着用物品の包装体１００の改良にかかわる。
【００６０】
第２の発明は、前記使い捨て着用物品１の包装体１００において、前記使い捨て着用物品１は、その厚さ方向に複数積層されるとともに、縦方向Ｙおよび横方向Ｘを有し、身体側およびその反対側である非身体側と、前後ウエスト域２，３および前記前後ウエスト域２，３間に位置するクロッチ域４と、ウエスト開口およびレッグ開口と、前記横方向Ｘにおける寸法を二等分する仮想縦中心線Ｐ−Ｐと、前記縦方向Ｙにおける寸法を二等分するとともに前記クロッチ域４に位置する仮想横中心線Ｑ−Ｑとを有するシャーシと、少なくとも前記クロッチ域４に位置する体液吸収体５０と、前記仮想横中心線Ｑ−Ｑの少なくとも一部に一致する第１折曲線８１とを含む。前記クロッチ域４であって前記仮想縦中心線Ｐ−Ｐ上に位置するクロッチ中心部８３の厚さ寸法が、前記前後ウエスト域２，３であって前記体液吸収体５０の非存在領域８５の厚さ寸法よりも小さくされ、前記第１折曲線８１に沿って折り畳まれ前記前ウエスト域２の前記身体側と前記後ウエスト域３の前記身体側が互いに対向し、前記クロッチ域４の前記身体側が互いに対向することを特徴とする。
【００６１】
上記第２の発明は、少なくとも下記の実施の形態を含むことができる。
（１）前記シャーシは、前記クロッチ域４に位置するとともに前記横方向Ｘに延びる第２折曲線８２を有し、前記第２折曲線８２に沿って前記クロッチ域４が前記前後ウエスト域２，３のいずれか一方に向かって折り畳まれ、前記前後ウエスト域２，３のいずれか一方の前記非身体側と前記クロッチ域４の非身体側が互いに対向する。
（２）前記着用物品１は、折り畳まれた前記クロッチ域４が露出する第１面１１と、その反対面であって前記前後ウエスト域２，３のいずれか一方が露出する第２面１２とを有し、隣接する前記着用物品１は、前記第１面１１を互いに対向させて積層される。
（３）前記シャーシは、前記ウエスト開口を形成する外端縁２１，３１を有し、前記着用物品１は、前記外端縁２１，３１と、前記第２折曲線８２と、前記シャーシの両側縁とによってその外形が画定され、隣接する前記着用物品は、一方の前記着用物品の前記外端縁２１，３１と他方の前記着用物品の前記第２折曲線８２とを互いに対向させて積層される。
（４）前記着用物品１は、可撓性を有するパッケージシート９０によって包装され、前記パッケージシート９０は上面９１および底面９２と、これら上面９１および底面９２間に位置する側面９３とを有し、前記着用物品１は、前記上面９１および前記底面９２間に積層され、前記上面９１には、前記パッケージシート９０を切断するための誘導線９４が形成される。
【００６２】
おむつ１を構成する各構成部材には、この明細書に記載されている材料のほかに、この種の分野において通常用いられている、各種の公知の材料を制限なく用いることができる。また、この発明の明細書において、用語「第１」、「第２」、「第３」および「第４」は、同様の要素、位置等を単に区別するために用いられている。
【符号の説明】
【００６３】
１    使い捨ておむつ（使い捨て着用物品）
２    前ウエスト域
３    後ウエスト域
４    クロッチ域
１１    第１面
１２    第２面
２０    前ウエストパネル
２１    外端縁
２４    内面シート
２５    外面シート
２６    ウエスト弾性体
３０    後ウエストパネル
３１    外端縁
３４    後内面シート
３５    外面シート
３６    ウエスト弾性体
４０    クロッチ本体
４１    前端縁
４２    後端縁
４６    第１レッグ弾性体
４７    第２レッグ弾性体
５０    体液吸収体
５４    内面シート
５５    外面シート
５６    芯材
８１    第１折曲線
８２    第２折曲線
８３    クロッチ中心部
９０    パッケージシート
９１    上面
９２    底面
９３    側面
９４    誘導線
１００  包装体
Ｘ    横方向
Ｙ    縦方向
Ｐ−Ｐ  仮想縦中心線
Ｑ−Ｑ  仮想横中心線
【図１】
0005858756.tif 000002
【図２】
0005858756.tif 000003
【図３】
0005858756.tif 000004
【図４】
0005858756.tif 000005
【図５】
0005858756.tif 000006
【図６】
0005858756.tif 000007
【図７】
0005858756.tif 000008
【図８】
0005858756.tif 000009
【図９】
0005858756.tif 000010
【図１０】
0005858756.tif 000011
【図１１】
0005858756.tif 000012